(57)【要約】【課題】  窓部を引き戸の上下部を除いた略全面にわたって設ける構成においても、リンク機構が外部から見えないようにする。【解決手段】  キャビネット１の開口部２ａに配置された前後引き戸１１，１２及び中間引き戸１３と、収納スペース２ｂの後方上部に左右に架設されたガイド部材１５と、ガイド部材１５に係合する後端係合部１８と中間引き戸１３の後面上部に固定された前端固定部１７とを有する略水平に延びるセンターリンク１６と、センターリンク１６に沿って前後方向にスライド可能な前後移動部材２２と、前後移動部材２２に一端が枢着されると共に前引き戸１１の後面に他端が枢着されてなる第１のリンクバー２６及び前後移動部材２２に鉛直軸まわりに一端が枢着されると共に後引き戸１２の後面に他端が枢着されてなる第２のリンクバー２７とを備えた。【選択図】        図２
2005273213.tif 000002
【特許請求の範囲】
【請求項１】
キャビネットの開口部に、個別の三条のレールである、前レール、後レール及び該前後レール間の中間レールに沿ってそれぞれ左右方向に移動可能に配置された、前引き戸、後引き戸及び中間引き戸と、
前記キャビネットの収納スペースの後方上部又は後方下部に左右に架設されたガイド部材と、
該ガイド部材に係合して左右方向にスライド可能に支持された後端係合部と、前記中間引き戸の後面の上部又は下部に固定された前端固定部とを有し、前後方向に略水平に延びるセンターリンクと、
該センターリンクに沿って前後方向にスライド可能に支持された前後移動部材と、
該前後移動部材に一端が枢着されると共に、前記前引き戸及び後引き戸の一方の後面に他端が枢着されてなる、略水平面内を移動する第１のリンクバー、及び、前記前後移動部材に一端が枢着されると共に、前記前引き戸及び後引き戸の他方の後面に他端が枢着されてなる、略水平面内を移動する第２のリンクバーからなる一対のリンクバーとを備えてなる連動開閉式引き戸。
【請求項２】
前記一対のリンクバーが略同一の長さを有すると共に前記センターリンクに対して略左右対称に配置されているものであり、
２本の略同一の長さを有する第１の補助リンクバー及び第２の補助リンクバーからなる一対の補助リンクバーの一端同士を枢支してなると共に、該枢軸を前記前後移動部材の前側において前記センターリンクに沿って前後方向にスライド可能に支持し、前記一対の補助リンクバーの他端をそれぞれ前記第１のリンクバー及び第２のリンクバーの中間部分に枢着してなる請求項１記載の連動開閉式引き戸。
【請求項３】
前記ガイド部材が、前記キャビネットの収納スペースの後方上部又は後方下部に左右に架設されると共に前縁部を上方に延出させた左右方向に延びる上方延出部を設けた左右方向レールであり、
前記センターリンクの後端係合部が、前記左右方向レールの上方延出部の後側に左右に配設された前後方向の水平軸まわりに回動する複数のローラと、該ローラを支持すると共に前記左右方向レールの上方延出部の前側に配設された前記上方延出部と対向する面を持つ支持板であり、
前記センターリンクの後端係合部と前端固定部との間に、左右側縁部を上方に延出させてなる断面コ字状の前後方向レール部を設け、
前記前後移動部材の前記センターリンクに沿う前後方向のスライド支持が、前記前後移動部材の下面の前後に装着された複数のローラを前記センターリンクの前後方向レール部上に係合させるものである請求項１記載の連動開閉式引き戸。
【請求項４】
前記センターリンクの後端係合部と前端固定部との間に、左右側縁部を上方に延出させてなる断面コ字状の前後方向レール部を設け、
前記一対の補助リンクバーの枢軸の前記センターリンクに沿う前後方向のスライド支持が、前記枢軸の下部に装着されたローラを前記センターリンクの前後方向レール部上に係合させるものである請求項２記載の連動開閉式引き戸。
【請求項５】
前記ガイド部材が、前記キャビネットの収納スペースの後方上部又は後方下部に左右に架設されると共に前縁部を上方に延出させた左右方向に延びる上方延出部を設けた左右方向レールであり、
前記センターリンクの後端係合部が、前記左右方向レールの上方延出部の後側に左右に配設された上下方向軸まわりに回動する複数のローラと該ローラを支持する支持板であり、
前記前後移動部材が、前記センターリンクの後端係合部と前端固定部との間に左右側縁部を上方に延出させてなる断面コ字状の前後方向レール部に係合する上下方向軸まわりに回動するローラである請求項１記載の連動開閉式引き戸。
【発明の詳細な説明】
【技術分野】
【０００１】
本発明は、収納庫等の各種キャビネットの開口部に配置される、前引き戸又は後引き戸のスライド操作により前記前引き戸又は後引き戸間の中間引き戸も連動してスライドさせることができる連動開閉式引き戸に関するものである。
【背景技術】
【０００２】
収納庫等の各種キャビネットにおいて、開口部に配置する引き戸の枚数を、左右二枚よりも増加させ、前引き戸及び後引き戸と該前後引き戸間の中間引き戸とをリンク機構を介して連結し、前記前引き戸又は後引き戸のスライド操作により前記中間引き戸も連動してスライドさせることができるようにしてなる、左右二枚の引き戸構造よりも開放幅を大きく形成できる連動開閉式引き戸が知られている。また、前記連動開閉式引き戸のリンク機構としては、二本のリンクバーをＸ状に配置し、その交差領域を前記中間引き戸に支持させ、前記各リンクバーの端部を前記前後引き戸側に支持させる構成（Ｘ型）、或いは、前記前後引き戸間に延びる一本の長いリンクバーと、この長いリンクバーの中間部を前記中間引き戸に支持させると共に、当該支持された部分から前記前後引き戸の一方との間に延びる一本の短いリンクバーとを用いた構成（筋交い型）等が一般的に用いられている。
【０００３】
また、前記Ｘ型又は筋交い型のリンク機構を用いる連動開閉式引き戸において、該引き戸に例えば透明のガラス窓を設けた場合に前記リンク機構を構成するリンクバーが前記ガラス窓から見えるという問題点等を解消するために、連動開閉式引き戸のリンク機構を、それぞれ一端側が相対回転可能に連結されると共に相互に略同一長さを有する一対のリンクバーと、前記中間引き戸に設けられると共に前記一対のリンクバーの連結部側を上下方向に案内するガイドと、前記前後引き戸に設けられると共に前記リンクバーの他端側を同一位置で回転可能に支持する端部連結部とを備えて構成するもの（例えば、特許文献１参照。）がある。
【特許文献１】特開２０００−２８２７５３号公報（図１−５、図１１）
【発明の開示】
【発明が解決しようとする課題】
【０００４】
特許文献１の連動開閉式引き戸の構成は、前記Ｘ型又は筋交い型のリンク機構を用いる連動開閉式引き戸の問題点を略解消するものであり、前記透明のガラス窓等、透明又は半透明で外部から内部の収容物が視認できる窓部を引き戸に設ける場合に、該引き戸のリンク機構を構成するリンクバーを外側から見え難くすることが可能であること、及び、前記リンクバーの端部連結部の形成数を削減して軽快なタッチでスライド操作を行うことができること等の作用効果を奏するものである。しかし、このような構成でも、前記リンクバーは引き戸の裏側で略鉛直面内を移動するものであるため、前記窓部の大きさには制限があり（特許文献１の図１１参照。）、例えば前記窓部を前記引き戸の上下部を除いた略全面にわたって設ける構成等、キャビネット内の収容物の視認性をより高める構成においては、前記リンクバーが外部から視認され、外観上の体裁を損ねることになるという問題点がある。
【０００５】
本発明は、前記のような問題点を解決するためになされたものであり、透明又は半透明で外部から内部の収容物が視認できる窓部を前記引き戸の上下部を除いた略全面にわたって設ける構成等、キャビネット内の収容物の視認性をより高める構成においても、前記引き戸のリンク機構を構成するリンクバーが外部から視認されることを殆どなくすことができ、外観上の体裁を損ねることを防止することができる連動開閉式引き戸を得ることを目的とする。
【課題を解決するための手段】
【０００６】
本発明に係る連動開閉式引き戸は、前記課題解決のために、キャビネットの開口部に、個別の三条のレールである、前レール、後レール及び該前後レール間の中間レールに沿ってそれぞれ左右方向に移動可能に配置された、前引き戸、後引き戸及び中間引き戸と、前記キャビネットの収納スペースの後方上部又は後方下部に左右に架設されたガイド部材と、該ガイド部材に係合して左右方向にスライド可能に支持された後端係合部と、前記中間引き戸の後面の上部又は下部に固定された前端固定部とを有し、前後方向に略水平に延びるセンターリンクと、該センターリンクに沿って前後方向にスライド可能に支持された前後移動部材と、該前後移動部材に一端が枢着されると共に、前記前引き戸及び後引き戸の一方の後面に他端が枢着されてなる、略水平面内を移動する第１のリンクバー、及び、前記前後移動部材に一端が枢着されると共に、前記前引き戸及び後引き戸の他方の後面に他端が枢着されてなる、略水平面内を移動する第２のリンクバーからなる一対のリンクバーとを備えてなるものである。
【０００７】
ここで、前記一対のリンクバーが略同一の長さを有すると共に前記センターリンクに対して略左右対称に配置されているものであり、２本の略同一の長さを有する第１の補助リンクバー及び第２の補助リンクバーからなる一対の補助リンクバーの一端同士を枢支してなると共に、該枢軸を前記前後移動部材の前側において前記センターリンクに沿って前後方向にスライド可能に支持し、前記一対の補助リンクバーの他端をそれぞれ前記第１のリンクバー及び第２のリンクバーの中間部分に枢着してなると好ましい。
【０００８】
また、前記ガイド部材が、前記キャビネットの収納スペースの後方上部又は後方下部に左右に架設されると共に前縁部を上方に延出させた左右方向に延びる上方延出部を設けた左右方向レールであり、前記センターリンクの後端係合部が、前記左右方向レールの上方延出部の後側に左右に配設された前後方向の水平軸まわりに回動する複数のローラと、該ローラを支持すると共に前記左右方向レールの上方延出部の前側に配設された前記上方延出部と対向する面を持つ支持板であり、前記センターリンクの後端係合部と前端固定部との間に、左右側縁部を上方に延出させてなる断面コ字状の前後方向レール部を設け、前記前後移動部材の前記センターリンクに沿う前後方向のスライド支持が、前記前後移動部材の下面の前後に装着された複数のローラを前記センターリンクの前後方向レール部上に係合させるものであると好ましい。
【０００９】
さらに、前記センターリンクの後端係合部と前端固定部との間に、左右側縁部を上方に延出させてなる断面コ字状の前後方向レール部を設け、前記一対の補助リンクバーの枢軸の前記センターリンクに沿う前後方向のスライド支持が、前記枢軸の下部に装着されたローラを前記センターリンクの前後方向レール部上に係合させるものであると好ましい。
【００１０】
さらにまた、前記ガイド部材が、前記キャビネットの収納スペースの後方上部又は後方下部に左右に架設されると共に前縁部を上方に延出させた左右方向に延びる上方延出部を設けた左右方向レールであり、前記センターリンクの後端係合部が、前記左右方向レールの上方延出部の後側に左右に配設された上下方向軸まわりに回動する複数のローラと該ローラを支持する支持板であり、前記前後移動部材が、前記センターリンクの後端係合部と前端固定部との間に左右側縁部を上方に延出させてなる断面コ字状の前後方向レール部に係合する上下方向軸まわりに回動するローラであると好ましい。
【発明の効果】
【００１１】
本発明に係る連動開閉式引き戸によれば、キャビネットの開口部に、個別の三条のレールである、前レール、後レール及び該前後レール間の中間レールに沿ってそれぞれ左右方向に移動可能に配置された、前引き戸、後引き戸及び中間引き戸と、前記キャビネットの収納スペースの後方上部又は後方下部に左右に架設されたガイド部材と、該ガイド部材に係合して左右方向にスライド可能に支持された後端係合部と、前記中間引き戸の後面の上部又は下部に固定された前端固定部とを有し、前後方向に略水平に延びるセンターリンクと、該センターリンクに沿って前後方向にスライド可能に支持された前後移動部材と、該前後移動部材に一端が枢着されると共に、前記前引き戸及び後引き戸の一方の後面に他端が枢着されてなる、略水平面内を移動する第１のリンクバー、及び、前記前後移動部材に一端が枢着されると共に、前記前引き戸及び後引き戸の他方の後面に他端が枢着されてなる、略水平面内を移動する第２のリンクバーからなる一対のリンクバーとを備えてなるので、透明又は半透明で外部から内部の収容物が視認できる窓部を前記引き戸の上下部を除いた略全面にわたって設ける構成等、キャビネット内の収容物の視認性をより高める構成においても、前記引き戸のリンク機構を構成するリンクバーが外部から視認されることを殆どなくすことができ、外観上の体裁を損ねることを防止することができる。また、前記センターリンクの後部に後端係合部を設け、この後端係合部を前記ガイド部材に係合させているため、この係合により前記中間引き戸に働く鉛直軸まわりのモーメントを抑制することができるため、連動開閉式引き戸の開閉動作を円滑かつ確実に行うことができる。
【００１２】
また、本発明に係る連動開閉式引き戸によれば、前記一対のリンクバーが略同一の長さを有すると共に前記センターリンクに対して略左右対称に配置されているものであり、２本の略同一の長さを有する第１の補助リンクバー及び第２の補助リンクバーからなる一対の補助リンクバーの一端同士を枢支してなると共に、該枢軸を前記前後移動部材の前側において前記センターリンクに沿って前後方向にスライド可能に支持し、前記一対の補助リンクバーの他端をそれぞれ前記第１のリンクバー及び第２のリンクバーの中間部分に枢着してなるので、前記中間引き戸に働く鉛直軸まわりのモーメントを抑制することができると共に、前記センターリンクに沿う前後移動部材の前後の移動動作を円滑にすることができる。したがって、連動開閉式引き戸の開閉動作をさらに円滑かつ確実に行うことができる。
【００１３】
さらに、本発明に係る連動開閉式引き戸によれば、前記ガイド部材が、前記キャビネットの収納スペースの後方上部又は後方下部に左右に架設されると共に前縁部を上方に延出させた左右方向に延びる上方延出部を設けた左右方向レールであり、前記センターリンクの後端係合部が、前記左右方向レールの上方延出部の後側に左右に配設された前後方向の水平軸まわりに回動する複数のローラと、該ローラを支持すると共に前記左右方向レールの上方延出部の前側に配設された前記上方延出部と対向する面を持つ支持板であり、前記センターリンクの後端係合部と前端固定部との間に、左右側縁部を上方に延出させてなる断面コ字状の前後方向レール部を設け、前記前後移動部材の前記センターリンクに沿う前後方向のスライド支持が、前記前後移動部材の下面の前後に装着された複数のローラを前記センターリンクの前後方向レール部上に係合させるものであるので、構成の簡素化により、信頼性の向上及びコストの低減化を図ることができる。
【００１４】
さらにまた、本発明に係る連動開閉式引き戸によれば、前記センターリンクの後端係合部と前端固定部との間に、左右側縁部を上方に延出させてなる断面コ字状の前後方向レール部を設け、前記一対の補助リンクバーの枢軸の前記センターリンクに沿う前後方向のスライド支持が、前記枢軸の下部に装着されたローラを前記センターリンクの前後方向レール部上に係合させるものであるので、構成の簡素化により、信頼性の向上及びコストの低減化を図ることができる。
【００１５】
また、本発明に係る連動開閉式引き戸によれば、前記ガイド部材が、前記キャビネットの収納スペースの後方上部又は後方下部に左右に架設されると共に前縁部を上方に延出させた左右方向に延びる上方延出部を設けた左右方向レールであり、前記センターリンクの後端係合部が、前記左右方向レールの上方延出部の後側に左右に配設された上下方向軸まわりに回動する複数のローラと該ローラを支持する支持板であり、前記前後移動部材が、前記センターリンクの後端係合部と前端固定部との間に左右側縁部を上方に延出させてなる断面コ字状の前後方向レール部に係合する上下方向軸まわりに回動するローラであるので、さらなる構成の簡素化により、信頼性の向上及びコストの低減化をさらに図ることができる。
【発明を実施するための最良の形態】
【００１６】
次に、本発明の実施の形態を添付図面に基づき詳細に説明するが、本発明は、添付図面に示された形態に限定されず特許請求の範囲に記載の要件を満たす実施形態の全てを含むものである。なお、本明細書においては、キャビネットの正面側（開口部側）から見て手前側（開口部側）を前、その反対側（キャビネットの背板側）を後、キャビネットの正面側（開口部側）から見て左右側をそれぞれ左右とする。
【００１７】
実施の形態１．
図１〜図３は、本発明の実施の形態１に係る連動開閉式引き戸が用いられたキャビネットの斜視図、平面断面図及び右側面断面図である。また、図４は、本発明の実施の形態１に係る連動開閉式引き戸における前後引き戸と中間引き戸とを連結するリンク機構の構成説明図である。さらに、図５は本発明の実施の形態１に係る連動開閉式引き戸を開いた状態を示す平面断面図であり、図５（ａ）は連動開閉式引き戸を左に移動させた状態を、図５（ｂ）は連動開閉式引き戸を右に移動させた状態を示している。なお、図１は連動開閉式引き戸を開いた状態を、図２及び図３は連動開閉式引き戸を閉じた状態を示している。
【００１８】
キャビネット１は、正面側（前側）に開口部２ａを備えると共に、平面視矩形のベース３、このベース３の左右両側に配設された側面視矩形の左側板４及び右側板５、これらベース３及び側板４，５の後端に配設された正面視（背面視）矩形の背板６、並びに、前記側板４，５及び背板６の上端に配設された平面視矩形の天板７により構成されるキャビネット本体２、開口部２ａの上下のレール、すなわち天板７下面下面に形成された個別の左右方向の三条のレール、前レール８ａ、後レール９ａ及び該前後レール間の中間レール１０ａ、並びに、ベース３上面に形成された個別の左右方向の三条のレール、前レール８ｂ、後レール９ｂ及び該前後レール間の中間レール１０ｂに沿って左右方向に移動可能に配設された、前記前レールに沿う前引き戸１１、前記後レールに沿う後引き戸１２及び前記中間レールに沿う中間引き戸１３、キャビネット本体２内の収納スペース２ｂ内に配設された棚板１４，１４等により構成されている。
【００１９】
３枚の引き戸１１，１２及び１３は、前記個別の左右方向のレール８ａ，８ｂ、９ａ，９ｂ及び１０ａ，１０ｂに沿って、相互に干渉することなく左右方向にスライド可能に構成されている。また、後述するリンク機構により、左右の前引き戸１１又は後引き戸１２のスライド操作に連動して中間引き戸１３がスライドするように構成されている。
【００２０】
また、各引き戸１１，１２及び１３は、例えばスチール製の板材を板金加工により成形してなる上下の金属部１１ａ，１１ｂ、１２ａ，１２ｂ及び１３ａ，１３ｂ、並びに、該金属部間に上下部を嵌合してなるガラス部（このガラス部が透明又は半透明で外部から内部の収容物が視認できる窓部を構成している。なお、透明又は半透明で外部から内部の収容物が視認できる機能を有するものであればガラスでなくてもよい。）１１ｃ，１２ｃ及び１３ｃにより構成されている。このように、各引き戸１１，１２及び１３は、上下の金属部１１ａ，１１ｂ、１２ａ，１２ｂ及び１３ａ，１３ｂを除く部分全面を前記ガラス部としており、キャビネット内の収容物の視認性が非常に高い構成となっている。
【００２１】
キャビネット１の収納スペース２ｂの後方上部に左右に架設されたガイド部材である左右方向レール１５は、例えば、左右側板４，５、背板６又は天板７等に固定されており、その前縁部を上方に延出させた左右方向に延びる上方延出部１５ａが形成されている。また、前後方向に略水平に延びるセンターリンク１６の前端固定部１７は中間引き戸１３の上金属部１３ａの後面右上部に例えばスポット溶接により固定されており、後端係合部１８は、前記左右方向レール１５の上方延出部１５ａの後側に左右に配設された前後方向の水平軸まわりに回動するローラ１９，１９と、該ローラ１９，１９を支持すると共に前記左右方向レール１５の上方延出部１５ａの前側に配設された前記上方延出部１５ａと対向する面２０ａを持つ支持板２０により構成されている。
【００２２】
したがって、センターリンク１６は、後部係合部１８が左右方向のレール１５に係合することにより、左右方向に移動可能に支持されている。また、左右方向のレール１５、該レール１５の上方延出部１５ａを挟むように配設された、複数のローラ１９，１９及び該ローラを支持すると共に前記上方延出部１５ａと対向する面２０ａを持つ支持板２０により、前記センターリンク１６の左右方向の移動をガイドするため、簡素な構成でありながら前記センターリンク１６の左右方向の移動のガイドを確実に行うことができると共にコストの低減化を図ることができる。なお、左右方向レール１５に係合するセンターリンク１６の後端係合部には、必ずしもローラ１９，１９を設ける必要はなく、左右方向レール１５に樹脂部品を摺動させてセンターリンク１６を左右方向にスライドさせる構成等を採用してもよい。このような構成を採用すれば、コストの低減化をさらに図ることができる。
【００２３】
センターリンク１６の前端固定部１７と後端係合部１８との間には、左右側縁部２１ａ，２１ａを上方に延出させてなる断面コ字状の前後方向レール部２１が設けられており、前後移動部材２２の下面の前後に装着されたローラ２３ないし２５を前記前後方向レール部２１に係合させることにより、前後移動部材２２はセンターリンク１６に沿って前後方向に移動可能に支持される。前記前後方向レール部２１は例えば板金加工により成形することができると共に、このような断面コ字状のレール部２１に前後移動部材２２の下面の前後に装着された複数のローラ２３ないし２５を係合させることにより、前後移動部材２２のセンターリンク１６に沿う前後方向のスライド支持がなされるため、簡素な構成でありながら前記前後移動部材２２のセンターリンク１６に沿う前後方向の移動のガイドを確実に行うことができると共にコストの低減化を図ることができる。
なお、前後移動部材２２の下面には、必ずしもローラ２３ないし２５を設ける必要はなく、センターリンク１６のコ字状の前後方向レール部２１に前後移動部材２２の下面に装着した樹脂部品を摺動させて前後移動部材２２を前後方向レール部２１に沿って前後方向にスライドさせる構成等を採用してもよい。このような構成を採用すれば、コストの低減化をさらに図ることができる。
【００２４】
第１のリンクバー２６及び第２のリンクバー２７は、略同一の長さを有すると共にセンターリンク１６に対して略左右対称に配置されており、略水平面内を移動するものである。第１のリンクバー２６の一端は前後移動部材２２に枢着されており（枢軸２６ａ）、第１のリンクバー２６の他端は、固定板２８を例えばスポット溶接により前引き戸１１の上金属部１１ａの後面右上部に固定することにより、前引き戸１１の後面に鉛直軸まわりに回動可能に枢着されている（枢軸２６ｂ）。また、同様に、第２のリンクバー２７の一端は前後移動部材２２に枢着されており（枢軸２７ａ）、第２のリンクバー２７の他端は、固定板２９を例えばスポット溶接により後引き戸１２の上金属部１２ａの後面右上部に固定することにより、後引き戸１２の後面に鉛直軸まわりに回動可能に枢着されている（枢軸２７ｂ）。
【００２５】
第１の補助リンクバー３０及び第２の補助リンクバー３１は、略同一の長さを有すると共にセンターリンク１６に対して略左右対称に配置されており、略水平面内を移動するものである。第１の補助リンクバー３０及び第２の補助リンクバー３１の一端同士は鉛直軸まわりに回動可能に枢支され、該枢軸３２は前後移動部材２２の前側においてセンターリンク１６により該センターリンクに沿って前後方向にスライド可能に支持されている。すなわち、枢軸３２下部に装着されたローラ３３をセンターリンク１６の前記断面コ字状の前後方向レール部２１に係合させることにより、枢軸３２はセンターリンク１６に沿って前後方向にスライドとなっている。また、第１の補助リンクバー３０及び第２の補助リンクバー３１の他端は、それぞれ第１のリンクバー２６及び第２のリンクバー２７の中間部分に枢着されている（枢軸３４及び３５）。
【００２６】
このように、一対の補助リンクバー３０及び３１の枢軸３２のセンターリンク１６に沿う前後方向の移動のガイドが、枢軸３２下部に装着されたローラ３３をセンターリンク１６の前記断面コ字状の前後方向レール部２１に係合させることによりなされるため、簡素な構成でありながら前記移動のガイドを確実に行うことができると共にコストの低減化を図ることができる。なお、枢軸３２下部には、必ずしもローラ３３を装着する必要はなく、枢軸３２下部に樹脂部品を装着して該樹脂部品を前後方向レール２１に沿って摺動させる構成等を採用してもよい。このような構成を採用すれば、コストの低減化をさらに図ることができる。
【００２７】
次に、本発明の実施の形態１に係る連動開閉式引き戸の動作について説明する。図２の連動開閉式引き戸を閉じた状態において、把手３６を左方に移動させると、後述するラッチ機構のロック状態が解除され、前引き戸１１が左方に移動する。この前引き戸１１の移動に伴い、第１のリンクバー２６により前後移動部材２２がセンターリンク１６に沿って後方に移動すると共にセンターリンク１６には左方への駆動力が働くことになる。したがって、センターリンク１６の前端固定部１７と固定されてなる中間引き戸１３は前記前引き戸１１の左方への移動に連動して左方へ移動し、図５（ａ）のように後引き戸１２に前引き戸１１及び中間引き戸１３が略重なる状態まで、引き戸全体を左方に移動させることができる。
【００２８】
また、同様に、図２の連動開閉式引き戸を閉じた状態において、把手３７を右方に移動させると、後述するラッチ機構のロック状態が解除され、後引き戸１２が右方に移動する。この後引き戸１２の移動に伴い、第２のリンクバー２７により前後移動部材２２がセンターリンク１６に沿って後方に移動すると共にセンターリンク１６には右方への駆動力が働くことになる。したがって、センターリンク１６の前端固定部１７と固定されてなる中間引き戸１３は前記後引き戸１２の右方への移動に連動して右方へ移動し、図５（ｂ）のように前引き戸１１に後引き戸１２及び中間引き戸１３が略重なる状態まで、引き戸全体を右方に移動させることができる。
【００２９】
以上のように前引き戸１１又は後引き戸１２のスライド操作により中間引き戸１３も連動するが、前記センターリンク１６に働く左右方向の駆動力により中間引き戸１３には鉛直軸まわりのモーメントが働いて、前記１０ａ，１０ｂに沿う中間引き戸１３の左右方向の移動が円滑に行われない可能性がある。したがって、センターリンク１６の後部には後端係合部１８を設けて、この後端係合部１８を前記ガイド部材である左右方向レール１５に係合させており、この係合により中間引き戸１３に働く前記鉛直軸まわりのモーメントを抑制しているのである。さらに、前記第１のリンクバー２６及び第１のリンクバー２７には、これら一対のリンクバーの中間部分に、一端同士が鉛直軸まわりに回動可能に枢支され、該枢軸３２を前後移動部材２２の前側においてセンターリンク１６により該センターリンクに沿って前後方向にスライド可能に支持されてなる前記一対の補助リンクバー３０，３１の他端が枢着されている（枢軸３４及び３５）ため、中間引き戸１３に働く前記鉛直軸まわりのモーメントを抑制することができると共に、センターリンク１６に沿う前後移動部材２２の前後の移動動作を円滑にすることができるのである。したがって、このような構成により、本発明の実施の形態１に係る連動開閉式引き戸の開閉動作を円滑かつ確実に行うことができる。
【００３０】
また、本発明の連動開閉式引き戸のリンク機構である、一対のリンクバー２６及び２７並びに一対の補助リンクバー３０及び３１は、キャビネット１の収納スペース２ｂの上部の略水平面内を移動するのもであるため、透明又は半透明で外部から内部の収容物が視認できる窓部を前記引き戸の上下部を除いた略全面にわたって設ける構成等、キャビネット１内の収容物の視認性をより高める構成においても、前記引き戸のリンク機構が外部から視認されることを殆どなくすことができ、外観上の体裁を損ねることを防止することができる。
【００３１】
以上の説明においては、左右方向レール１５、センターリンク１６、一対のリンクバー２６及び２７並びに一対の補助リンクバー３０及び３１を、キャビネット１の収納スペース２ｂの上部に配設する構成を説明したが、これらをキャビネット１の収納スペース２ｂの下部に配設してもよい。このように構成する場合は、左右方向レール１５をキャビネット１の収納スペース２ｂの後方下部に左右に架設し、センターリンク１６の前端固定部１７を中間引き戸１３の下金属部１３ｂの後面右下部に固定し、第１のリンクバー２６を枢支する固定板２８を前引き戸１１の下金属部１１ｂの後面右下部に固定し、第２のリンクバー２７を枢支する固定板２９を後引き戸１２の下金属部１２ｂの後面右下部に固定すればよい。
【００３２】
なお、以上の説明のように、本発明における一対のリンクバー２６及び２７と一対の補助リンクバー３０及び３１は、それぞれセンターリンク１６に対して略左右対称に配置されると好ましい。このような構成により、引き戸のスライド操作をより軽快に行えると共にリンクバーの部品の共用化を図ることができ、製造コストの低減することができる。
【００３３】
図６はラッチ機構の説明用平面断面図であり、図６（ａ）はロック状態を示しており、図６（ｂ）はラッチ機構のロックを解除する動作を示している。なお、以下において左側のラッチ機構について説明するが、右側のラッチ機構（把手３６等）も同様の構成を備えるものである。左側のラッチ機構のラッチ本体３８は、鉛直軸３９ａまわりに回動可能に支持された鉤状係合片３９、該鉤状係合片３９の係合部３９ｂを後側に弾性付勢するばね４０、及び、ラッチ機構のロック状態を解除するための操作手段であると共に引き戸の開閉動作の操作部であり、鉛直軸３７ａまわりに回動可能に支持された把手３７により構成されており、左側の後引き戸１２の下金属部１２ｂに装着されている。また、左側板４には前記鉤状係合片３９の係合部３９ｂと係合する係合部４１ａを備えた固定側鉤状係合片４１が装着されている。
【００３４】
図６（ａ）のロック状態においては、ラッチ本体３８の鉤状係合片３９の係合部３９ｂと固定側鉤状係合片４１の係合部４１ａとが係合していると共に、ばね４０により前記鉤状係合片３９に弾性付勢力が作用しているため、キャビネットの移動又は地震等によっても不意に引き戸が開かないように構成されている。図６（ａ）のロック状態から、把手３７を右方に移動させると、把手３７は鉛直軸３７ａまわりに回動して把手３７の当接部３７ｂが鉤状係合片３９を押し、鉤状係合片３９は前記ばね４０の弾性付勢力に抗して、係合部３９ｂと固定側鉤状係合片４１の係合部４１ａとの係合が外れる方向に（図６（ｂ）中の矢印Ａ参照。）、鉛直軸３９ａまわりに回動する。したがって、把手３７を右方に移動させることにより、容易にラッチ機構のロック状態が解除することができ、後引き戸１２を右側に移動させることができる。
【００３５】
なお、前記のとおり、ラッチ本体３８の鉤状係合片３９と把手３７とは別部品であると共に、それらの回動軸３９ａ，３７ａの位置も離間させている。すなわち、把手３７の当接部３７ｂが鉤状係合片３９を押す位置から鉤状係合片３９の回動の中心である鉛直軸３９ａまでの距離よりも、把手３７の当接部３７ｂが鉤状係合片３９を押す位置から把手３７の回動の中心である鉛直軸３７ａまでの距離を大きくしている。このような構成により、鉤状係合片３９の回動角よりも把手３７の回動角を小さくすることができる。したがって、例えば、把手３７を持ちながら引き戸１２を左側に閉じる動作を行い、ラッチ本体３８の鉤状係合片３９の係合部３９ｂが固定側鉤状係合片４１の係合部４１ａを乗り越えるように動作して、鉤状係合片３９が鉛直軸３９ａまわりに回動する場合においても、把手３７の操作者への反動を抑えることができ、操作をより円滑に行うことができる。
【００３６】
図７は施錠装置の説明用正面図である。連動開閉式引き戸（前引き戸１１，後引き戸１２及び中間引き戸１３）を閉じた状態で、後引き戸１２の下金属部１２ｂに設けられたキーシリンダ４２に図示しないキーを挿入して回動させると掛金４３が上昇し（図中矢印Ｂ参照。）、後引き戸１２の下金属部１２ｂの後面側において前後方向の水平軸４４ａまわりに回動可能に支持された第１のロック杆４４が、前記水平軸４４ａまわりに回動する（図中矢印Ｃ参照。）。中間引き戸１３の下金属部１３ｂ後面側には第１の係止体４５が固定されており、該第１の係止体４５には凹状の係止部４５ａが形成されている。前記第１のロック杆４４の回動により、該第１のロック杆４４の先端係合片４４ｂが前記第１の係止体４５の凹状の係止部４５ａに係止されるため（図中矢印Ｄ参照。）、後引き戸１２と中間引き戸１３との左右方向の相対移動が規制されることになる。
【００３７】
前記第１のロック杆４４の回動により、該第１のロック杆４４の先端係合片４４ｂが、中間引き戸１３の下金属部１３ｂの後面側において前後方向の水平軸４６ａまわりに回動可能に支持された第２のロック杆４６を、前記水平軸４６ａまわりに回動させる（図中矢印Ｅ参照。）。前引き戸１１の下金属部１１ｂ後面側には第２の係止体４７が固定されており、該第２の係止体４７には凹状の係止部４７ａが形成されている。第２のロック杆４６の回動により、該第２のロック杆４６の先端係合片４６ｂが前記第２の係止体４７の凹状の係止部４７ａに係止されるため（図中矢印Ｅ参照。）、中間引き戸１３と前引き戸１１の左右方向の相対移動が規制されることになる。このようにして、前記キーシリンダ４２に図示しないキーを挿入して回動させる操作により、連動開閉式引き戸（前引き戸１１，後引き戸１２及び中間引き戸１３）を、容易かつ確実に一括してロックすることができるのである。
【００３８】
実施の形態２．
図８及び図９は、本発明の実施の形態２に係る連動開閉式引き戸が用いられたキャビネットの平面断面図及び右断面側面図である。また、図１０は、本発明の実施の形態２に係る連動開閉式引き戸における前後引き戸と中間引き戸とを連結するリンク機構の構成説明図である。なお、実施の形態１の図１〜図３と同一符号は同一又は相当部分を示している。
【００３９】
キャビネット１の収納スペース２ｂの後方上部に左右に架設されたガイド部材である左右方向レール４８は、例えば、左右側板４，５、背板６又は天板７等に固定されており、その前縁部を上方に延出させた左右方向に延びる上方延出部４８ａ、該上方延出部４８ａの上端から後方に延びる後方延出部４８ｂが形成されている。また、前後方向に略水平に延びるセンターリンク４９の前端固定部５０は、後述するセンターリンク４９の前後方向レール部５４の前端部に固定されると共に中間引き戸１３の上金属部１３ａの後面右上部に例えばスポット溶接により固定されており、後端係合部５１は、前記左右方向レール４８の上方延出部４８ａの後側に左右に配設された上下方向軸まわりに回動するローラ５２，５２と、該ローラ５２，５２を支持する支持板５３により構成されている。なお、支持板５３は、センターリンク４９と一体に形成してもよいし、センターリンク４９にスポット溶接又はボルト等により固定してもよい。また、センターリンク４９の後端係合部５１の左右方向レール４８への係合及び該左右方向レールからの分離は、左右方向レール４８に形成した切り欠き部４８ｃを利用することにより容易に行うことができる。
【００４０】
以上のように、センターリンク４９は、後部係合部５１が左右方向のレール４８に係合することにより、左右方向に移動可能に支持されている。また、ローラ５２，５２は、左右方向のレール４８の上方延出部４８ａと後述するカバー６０の後縁の上方延出部６０ａ間に、前後の隙間が小さい状態で係合している。したがって、簡素な構成でありながら前記センターリンク４９の左右方向の移動のガイドを確実に行うことができると共にコストの低減化を図ることができる。
【００４１】
センターリンク４９の前端固定部５０と後端係合部５１との間には、左右側縁部５４ａ，５４ａを上方に延出させてなる断面コ字状の前後方向レール部５４が設けられており、前後移動部材である上下軸まわりに回動するローラ５５を前記前後方向レール部５４に係合させることにより、前後移動部材５５はセンターリンク４９に沿って前後方向に移動可能に支持される。このような簡素な構成でありながら前記前後移動部材５５のセンターリンク４９に沿う前後方向の移動のガイドを確実に行うことができると共にコストの低減化を図ることができる。
【００４２】
第１のリンクバー５６及び第２のリンクバー５７は、略同一の長さを有すると共にセンターリンク４９に対して略左右対称に配置されており、略水平面内を移動するものである。第１のリンクバー５６の一端は前後移動部材５５に枢着されており（枢軸５６ａ）、第１のリンクバー５６の他端は、固定板５８を例えばスポット溶接により前引き戸１１の上金属部１１ａの後面右上部に固定することにより、前引き戸１１の後面に鉛直軸まわりに回動可能に枢着されている（枢軸５６ｂ）。また、同様に、第２のリンクバー５７の一端は前後移動部材５５に枢着されており（枢軸５７ａ）、第２のリンクバー５７の他端は、固定板５９を例えばスポット溶接により後引き戸１２の上金属部１２ａの後面右上部に固定することにより、後引き戸１２の後面に鉛直軸まわりに回動可能に枢着されている（枢軸５７ｂ）。
【００４３】
以上のような実施の形態２の構成によっても、このような実施の形態１よりもさらに簡素な構成により、実施の形態１と同様の連動開閉式引き戸の開閉動作を円滑かつ確実に行うことができる。
【００４４】
また、図８〜図１０において、カバー６０が、センターリンク５４並びに一対のリンクバー５６及び５７等の下部にカバー取付板６１により天板７下面に取り付けられている。また、カバー６０の前縁は上方に延出していると共に、センターリンク５４並びに一対のリンクバー５６及び５７との干渉を避けるための開口６０ｂが形成されている。このようなカバー６０により、前記引き戸のリンク機構が外部から視認されることを完全になくすことができ、外観上の体裁を損ねることを防止することができる。
【図面の簡単な説明】
【００４５】
【図１】本発明の実施の形態１に係る連動開閉式引き戸が用いられたキャビネットの斜視図である。
【図２】本発明の実施の形態１に係る連動開閉式引き戸が用いられたキャビネットの平面断面図である。
【図３】本発明の実施の形態１に係る連動開閉式引き戸が用いられたキャビネットの右側面断面図である。
【図４】本発明の実施の形態１に係る連動開閉式引き戸における前後引き戸と中間引き戸とを連結するリンク機構の構成説明図である。
【図５】本発明の実施の形態１に係る連動開閉式引き戸を開いた状態を示す平面断面図であり、（ａ）は連動開閉式引き戸を左に移動させた状態を、（ｂ）は連動開閉式引き戸を右に移動させた状態を示している。
【図６】ラッチ機構の説明用平面断面図であり、（ａ）はロック状態を、（ｂ）はロック解除する動作を示している。
【図７】施錠装置の説明用正面図である。
【図８】本発明の実施の形態２に係る連動開閉式引き戸が用いられたキャビネットの平面断面図である。
【図９】本発明の実施の形態２に係る連動開閉式引き戸が用いられたキャビネットの右側面断面図である。
【図１０】本発明の実施の形態２に係る連動開閉式引き戸における前後引き戸と中間引き戸とを連結するリンク機構の構成説明図である。
【符号の説明】
【００４６】
１  キャビネット
２  キャビネット本体
２ａ  開口部
２ｂ  収納スペース
３  ベース
４  左側板
５  右側板
６  背板
７  天板
８ａ，８ｂ  前レール
９ａ，９ｂ  後レール
１０ａ，１０ｂ  中間レール
１１  前引き戸
１２  後引き戸
１３  中間引き戸
１１ａ，１１ｂ，１２ａ，１２ｂ，１３ａ，１３ｂ  金属部
１１ｃ，１２ｃ及び１３ｃ  ガラス部
１５  左右方向レール
１５ａ  上方延出部
１６  センターリンク
１７  前端固定部
１８  後端係合部
１９  ローラ
２０  支持板
２０ａ  上方延出部１５ａと対向する面
２１  前後方向レール部
２１ａ  左右側縁部
２２  前後移動部材
２３，２４，２５  ローラ
２６  第１のリンクバー
２６ａ，２６ｂ  枢軸
２７  第２のリンクバー
２７ａ，２７ｂ  枢軸
２８，２９  固定板
３０  第１の補助リンクバー
３１  第２の補助リンクバー
３２  枢軸
３３  ローラ
３４，３５  枢軸
３６，３７  把手
４８  左右方向レール
４８ａ  上方延出部
４８ｂ  後方延出部
４９  センターリンク
５０  前端固定部
５１  後端係合部
５２  ローラ
５３  支持板
５４  前後方向レール部
５４ａ  左右側縁部
５５  前後移動部材
５６  第１のリンクバー
５６ａ，５６ｂ  枢軸
５７  第２のリンクバー
５７ａ，５７ｂ  枢軸
５８，５９  固定板
６０  カバー
６１  カバー取付板
【図１】
2005273213.tif 000003
【図２】
2005273213.tif 000004
【図３】
2005273213.tif 000005
【図４】
2005273213.tif 000006
【図５】
2005273213.tif 000007
【図６】
2005273213.tif 000008
【図７】
2005273213.tif 000009
【図８】
2005273213.tif 000010
【図９】
2005273213.tif 000011
【図１０】
2005273213.tif 000012